(57)【要約】【課題】ツールバー等のツール画面の領域の自由度を向上させることを図る。【解決手段】表示装置の表示画面上に表示されるツール画面の制御を行うツール画面制御装置１０が、ツール画面の表示開始イベントおよび表示終了イベントを入力する表示制御イベント入力部１１と、表示開始イベントの入力に応じて、表示画面上に表示される原画面の上に前記ツール画面を重ねて表示させ、表示終了イベントの入力に応じて、表示画面上に表示されるツール画面の表示を終了させる、ツール画面表示制御部１２と、ツール画面に表示される表示情報に基づいてツール画面の領域を決めるツール画面構成部１４と、を備える。【選択図】図１
2015125649.tif 000002
【特許請求の範囲】
【請求項１】
表示装置の表示画面上に表示されるツール画面の制御を行うツール画面制御装置であり、
前記ツール画面の表示開始イベントおよび表示終了イベントを入力する表示制御イベント入力部と、
前記表示開始イベントの入力に応じて、前記表示画面上に表示される原画面の上に前記ツール画面を重ねて表示させ、
前記表示終了イベントの入力に応じて、前記表示画面上に表示される前記ツール画面の表示を終了させる、ツール画面表示制御部と、
前記ツール画面に表示される表示情報に基づいて前記ツール画面の領域を決めるツール画面構成部と、
を備えたことを特徴とするツール画面制御装置。
【請求項２】
表示画面を有する表示部と、
ツール画面の表示開始イベントおよび表示終了イベントを入力する表示制御イベント入力部と、
前記表示開始イベントの入力に応じて、前記表示画面上に表示される原画面の上に前記ツール画面を重ねて表示させ、
前記表示終了イベントの入力に応じて、前記表示画面上に表示される前記ツール画面の表示を終了させる、ツール画面表示制御部と、
前記ツール画面に表示される表示情報に基づいて前記ツール画面の領域を決めるツール画面構成部と、
を備えたことを特徴とする携帯端末装置。
【請求項３】
前記ツール画面構成部は、前記表示情報に基づいて当該表示情報を表示する領域の形を決めることを特徴とする請求項２に記載の携帯端末装置。
【請求項４】
前記ツール画面構成部は、前記表示情報に基づいて当該表示情報を表示する領域の大きさを決めることを特徴とする請求項２又は３に記載の携帯端末装置。
【請求項５】
表示装置の表示画面上に表示されるツール画面の制御を行うツール画面制御装置のツール画面制御方法であり、
前記ツール画面制御装置が、前記ツール画面の表示開始イベントを入力する表示開始イベント入力ステップと、
前記ツール画面制御装置が、前記ツール画面に表示される表示情報に基づいて前記ツール画面の領域を決めるツール画面構成ステップと、
前記ツール画面制御装置が、前記表示開始イベントの入力に応じて、前記表示画面上に表示される原画面の上に前記ツール画面を重ねて表示させるツール画面表示ステップと、
前記ツール画面制御装置が、前記ツール画面の表示終了イベントを入力する表示終了イベント入力ステップと、
前記ツール画面制御装置が、前記表示終了イベントの入力に応じて、前記表示画面上に表示される前記ツール画面の表示を終了させるツール画面表示終了ステップと、
を含むことを特徴とするツール画面制御方法。
【請求項６】
表示装置の表示画面上に表示されるツール画面の制御を行うツール画面制御処理を行うためのコンピュータプログラムであって、
前記ツール画面の表示開始イベントを入力する表示開始イベント入力ステップと、
前記ツール画面に表示される表示情報に基づいて前記ツール画面の領域を決めるツール画面構成ステップと、
前記表示開始イベントの入力に応じて、前記表示画面上に表示される原画面の上に前記ツール画面を重ねて表示させるツール画面表示ステップと、
前記ツール画面の表示終了イベントを入力する表示終了イベント入力ステップと、
前記表示終了イベントの入力に応じて、前記表示画面上に表示される前記ツール画面の表示を終了させるツール画面表示終了ステップと、
をコンピュータに実行させるためのコンピュータプログラム。
【発明の詳細な説明】
【技術分野】
【０００１】
本発明は、ツール画面制御装置、携帯端末装置、ツール画面制御方法およびコンピュータプログラムに関する。
【背景技術】
【０００２】
従来、パーソナルコンピュータ等でウェブ（Ｗｅｂ）ページにアクセスする際に使用されるＷｅｂブラウザの画面内の先頭部分にツールバーを表示する領域を設けることにより、Ｗｅｂブラウザ画面にツールバーを組み込み、Ｗｅｂブラウザとツールバーを一体化させた画面構成とするツールバー表示制御技術が知られている（例えば、特許文献１を参照）。ツールバーには、例えば、インターネット上で公開されている様々な情報の検索に使用される検索キーワードを入力する場所である検索キーワード入力欄が設けられる。
【先行技術文献】
【特許文献】
【０００３】
【特許文献１】特開２０１１−１０７８７６号公報
【発明の概要】
【発明が解決しようとする課題】
【０００４】
しかし、上述した従来のツールバー表示制御技術では、ツールバーがＷｅｂブラウザ画面と一体化されているために、ツールバーの領域に自由度がないという課題がある。例えば、ツールバーの大きさや形を適宜に変えることができない。
【０００５】
本発明は、このような事情を考慮してなされたもので、ツールバー等のツール画面の領域の自由度を向上させることができるツール画面制御装置、携帯端末装置、ツール画面制御方法およびコンピュータプログラムを提供することを課題とする。
【課題を解決するための手段】
【０００６】
（１）本発明に係るツール画面制御装置は、表示装置の表示画面上に表示されるツール画面の制御を行うツール画面制御装置であり、前記ツール画面の表示開始イベントおよび表示終了イベントを入力する表示制御イベント入力部と、前記表示開始イベントの入力に応じて、前記表示画面上に表示される原画面の上に前記ツール画面を重ねて表示させ、前記表示終了イベントの入力に応じて、前記表示画面上に表示される前記ツール画面の表示を終了させる、ツール画面表示制御部と、前記ツール画面に表示される表示情報に基づいて前記ツール画面の領域を決めるツール画面構成部と、を備えたことを特徴とする。
【０００７】
（２）本発明に係る携帯端末装置は、表示画面を有する表示部と、ツール画面の表示開始イベントおよび表示終了イベントを入力する表示制御イベント入力部と、前記表示開始イベントの入力に応じて、前記表示画面上に表示される原画面の上に前記ツール画面を重ねて表示させ、前記表示終了イベントの入力に応じて、前記表示画面上に表示される前記ツール画面の表示を終了させる、ツール画面表示制御部と、前記ツール画面に表示される表示情報に基づいて前記ツール画面の領域を決めるツール画面構成部と、を備えたことを特徴とする。
【０００８】
（３）本発明に係る携帯端末装置は、上記（２）の携帯端末装置において、前記ツール画面構成部は、前記表示情報に基づいて当該表示情報を表示する領域の形を決めることを特徴とする。
【０００９】
（４）本発明に係る携帯端末装置は、上記（２）又は（３）の携帯端末装置において、前記ツール画面構成部は、前記表示情報に基づいて当該表示情報を表示する領域の大きさを決めることを特徴とする。
【００１０】
（５）本発明に係るツール画面制御方法は、表示装置の表示画面上に表示されるツール画面の制御を行うツール画面制御装置のツール画面制御方法であり、前記ツール画面制御装置が、前記ツール画面の表示開始イベントを入力する表示開始イベント入力ステップと、前記ツール画面制御装置が、前記ツール画面に表示される表示情報に基づいて前記ツール画面の領域を決めるツール画面構成ステップと、前記ツール画面制御装置が、前記表示開始イベントの入力に応じて、前記表示画面上に表示される原画面の上に前記ツール画面を重ねて表示させるツール画面表示ステップと、前記ツール画面制御装置が、前記ツール画面の表示終了イベントを入力する表示終了イベント入力ステップと、前記ツール画面制御装置が、前記表示終了イベントの入力に応じて、前記表示画面上に表示される前記ツール画面の表示を終了させるツール画面表示終了ステップと、を含むことを特徴とする。
【００１１】
（６）本発明に係るコンピュータプログラムは、表示装置の表示画面上に表示されるツール画面の制御を行うツール画面制御処理を行うためのコンピュータプログラムであって、前記ツール画面の表示開始イベントを入力する表示開始イベント入力ステップと、前記ツール画面に表示される表示情報に基づいて前記ツール画面の領域を決めるツール画面構成ステップと、前記表示開始イベントの入力に応じて、前記表示画面上に表示される原画面の上に前記ツール画面を重ねて表示させるツール画面表示ステップと、前記ツール画面の表示終了イベントを入力する表示終了イベント入力ステップと、前記表示終了イベントの入力に応じて、前記表示画面上に表示される前記ツール画面の表示を終了させるツール画面表示終了ステップと、をコンピュータに実行させるためのコンピュータプログラムであることを特徴とする。
【発明の効果】
【００１２】
本発明によれば、ツールバー等のツール画面の領域の自由度を向上させることができるという効果が得られる。
【図面の簡単な説明】
【００１３】
【図１】本発明の一実施形態に係るツール画面制御装置１０の構成を示すブロック図である。
【図２】本発明の一実施形態に係るツール画面制御処理のフローチャートである。
【図３】本発明の実施例に係る携帯端末装置３０の構成を示すブロック図である。
【図４】本発明の実施例に係る携帯端末装置３０の表示画面１００の構成例を示す図である。
【図５】本発明の実施例に係る携帯端末装置３０の表示画面１００の他の構成例を示す図である。
【図６】本発明の実施例に係るツール画面２００の画面構成例を示す図である。
【図７】本発明の実施例に係る携帯端末装置３０の表示画面１００の他の構成例を示す図である。
【図８】本発明の実施例に係る携帯端末装置３０の表示画面１００の他の構成例を示す図である。
【図９】本発明の実施例に係る携帯端末装置３０の表示画面１００の他の構成例を示す図である。
【発明を実施するための形態】
【００１４】
以下、図面を参照し、本発明の実施形態について説明する。図１は、本発明の一実施形態に係るツール画面制御装置１０の構成を示すブロック図である。図１において、ツール画面制御装置１０は、表示制御イベント入力部１１とツール画面表示制御部１２と画面構成制御イベント入力部１３とツール画面構成部１４と表示情報供給部１５を備える。
【００１５】
ツール画面制御装置１０は、表示装置の表示画面上に表示されるツール画面の制御を行う。表示制御イベント入力部１１は、ツール画面の表示開始イベントおよび表示終了イベントを入力する。ツール画面表示制御部１２は、表示開始イベントの入力に応じて、表示装置に対して、表示画面上に表示される原画面の上にツール画面を重ねて表示させる。また、ツール画面表示制御部１２は、表示終了イベントの入力に応じて、表示装置に対して、表示画面上に表示されるツール画面の表示を終了させる。
【００１６】
画面構成制御イベント入力部１３は、ツール画面の構成追加イベントおよび構成削除イベントを入力する。ツール画面構成部１４は、表示情報を使用してツール画面を構成する。また、ツール画面構成部１４は、ツール画面に表示される表示情報に基づいて該ツール画面の領域を決める。表示情報供給部１５は、ツール画面構成部１４に対して表示情報を供給する。また、ツール画面構成部１４は、構成追加イベントの入力に応じてツール画面へ表示情報を追加する。また、ツール画面構成部１４は、構成削除イベントの入力に応じてツール画面から表示情報を削除する。
【００１７】
ツール画面表示制御部１２は、表示装置に対して、ツール画面表示データを出力する。ツール画面表示データは、表示装置の表示画面上に表示されるツール画面の画面構成と表示場所の情報を有する。ツール画面表示データによって、表示装置の表示画面上には、ツール画面表示データで示される画面構成のツール画面が、ツール画面表示データで示される表示場所に表示される。
【００１８】
次に図２を参照して、図１のツール画面制御装置１０の動作を説明する。図２は、本実施形態に係るツール画面制御処理のフローチャートである。ツール画面制御装置１０は、自己が起動されると、図２のツール画面制御処理を開始する。
【００１９】
（ステップＳ１１）  表示制御イベント入力部１１が、ツール画面の表示開始イベントを入力した場合にはステップＳ１２に進む。一方、ツール画面の表示開始イベントの入力がない場合には、ツール画面の表示開始イベントの入力を待つ。
【００２０】
（ステップＳ１２）  ツール画面構成部１４が、表示情報を使用してツール画面を構成する。このとき、ツール画面表示制御部１２は、ツール画面に表示される表示情報に基づいて該ツール画面の領域を決める。例えば、ツール画面表示制御部１２は、ツール画面に表示される表示情報に基づいて、該ツール画面の領域の大きさ又は形を決める。表示情報供給部１５は、必要に応じて、ツール画面構成部１４に対して表示情報を供給する。
【００２１】
（ステップＳ１３）  ツール画面表示制御部１２が、表示装置に対して、表示画面上に表示される原画面の上にツール画面を重ねて表示させる。具体的には、ツール画面表示制御部１２が、表示装置に対して、ツール画面表示データを出力する。このツール画面表示データは、表示装置の表示画面上に表示される原画面の上にツール画面を重ねて表示させるものである。その表示されるツール画面は、ツール画面構成部１４により構成されたものである。ツール画面の表示場所は、表示装置の表示画面内の任意の場所である。例えば、表示装置の表示画面内の端に、ツール画面を表示させる。
【００２２】
（ステップＳ１４）  表示制御イベント入力部１１が、ツール画面の表示終了イベントを入力した場合にはステップＳ１５に進む。一方、ツール画面の表示終了イベントの入力がない場合には、ツール画面の表示終了イベントの入力を待つ。
【００２３】
（ステップＳ１５）  ツール画面表示制御部１２が、表示装置に対して、表示画面上に表示されるツール画面の表示を終了させる。具体的には、ツール画面表示制御部１２が、表示装置に対して、ツール画面表示データの出力を停止する。
【００２４】
（ステップＳ１６）  ツール画面制御装置１０は、自己の起動が停止されると、図２のツール画面制御処理を終了する。一方、ツール画面制御装置１０は、自己の起動が停止されない場合にはステップＳ１１に戻る。
【００２５】
なお、本実施形態に係るツール画面制御装置１０は、専用のハードウェアにより実現されるものであってもよく、又は、メモリおよびＣＰＵ（中央処理装置）により構成され、ツール画面制御装置１０の機能を実現するためのツール画面制御プログラムをＣＰＵが実行することによりその機能を実現させるものであってもよい。
【実施例】
【００２６】
本実施例は、携帯端末装置の表示画面上にツール画面を表示する実施例である。図３は、本発明の実施例に係る携帯端末装置３０の構成を示すブロック図である。図１において、携帯端末装置３０は、ＣＰＵ部３１と記憶部３２と通信部３３とＧＰＳ部３４と操作部３５とタッチパネル部３６とマイク部３７とスピーカ部３８とカメラ部３９を備える。これら各部はデータを交換できるように構成されている。記憶部３２はツール画面制御プログラム５０を記憶する。
【００２７】
ＣＰＵ部３１は携帯端末装置３０の各部を制御する。この制御機能は、ＣＰＵ部３１がプログラムを実行することにより実現される。記憶部３２は、ＣＰＵ部３１で実行されるプログラムや各種のデータを記憶する。通信部３３は、通信ネットワークを介して通信を行う。通信ネットワークとして、携帯電話ネットワークやＷｉ−Ｆｉ等の無線ＬＡＮなどが挙げられる。ＧＰＳ部３４は、ＧＰＳ（Global Positioning System）により携帯端末装置３０の位置を示す端末位置情報を取得する。なお、端末位置情報として、通信部３３が接続する基地局（例えば、携帯電話ネットワークの基地局や、無線ＬＡＮのアクセスポイントなど）から取得した位置情報を利用してもよい。
【００２８】
操作部３５は、電源スイッチや音量ボタン、ホームボタンなどのハードウェアの操作装置から構成される。タッチパネル部３６（表示部）は、表示画面を有するタッチパネルを備え、該表示画面上に表示データを表示する表示装置として機能すると共に、該表示画面に対するタッチ（直接または間接の接触）によって該タッチされた表示画面内の位置を示すタッチ位置情報を入力する位置入力装置としても機能する。
【００２９】
マイク部３７は、音声データの入力を行う。スピーカ部３８は、音声データの再生を行う。カメラ部３９は、被写体を撮像した撮像画像を出力する。
【００３０】
携帯端末装置３０は、ＣＰＵ部３１が記憶部３２に記憶されるツール画面制御プログラム５０を実行することにより、図１に示されるツール画面制御装置１０の各部の機能を実現し、ツール画面制御処理を行う。
【００３１】
以下、本実施例に係るツール画面制御処理について説明する。以下の説明において、ツール画面は、ツール画面表示制御部１２から出力されたツール画面表示データに基づいて、タッチパネル部３６の表示画面上に表示される。また、ツール画面は、ツール画面表示制御部１２から出力されたツール画面表示データに基づいて、タッチパネル部３６の表示画面上の表示が終了する。
【００３２】
図４は、本発明の実施例に係る携帯端末装置３０の表示画面１００の構成例を示す図である。表示画面１００は、タッチパネル部３６の表示画面である。図４において、表示画面１００上には、まだツール画面は表示されておらず、原画面１１０が表示されている。原画面１１０は、ツール画面の表示前に表示画面１００に表示されている画面のことである。図４の例では、原画面１１０はＷｅｂブラウザ画面である。以降、原画面１１０であるＷｅｂブラウザ画面のことをＷｅｂブラウザ画面１１０と称する。Ｗｅｂブラウザ画面１１０は、表示画面１００の全域に表示されている。
【００３３】
Ｗｅｂブラウザ画面１１０の先頭部分には、検索キーワード入力欄１２０が設けられている。検索キーワード入力欄１２０は、Ｗｅｂブラウザ画面１１０に組み込まれており、Ｗｅｂブラウザ画面１１０と一体化された画面構成となっている。このため、検索キーワード入力欄１２０の大きさや形を適宜に変えることはできない。
【００３４】
図５は、本発明の実施例に係る携帯端末装置３０の表示画面１００の他の構成例を示す図である。図５において、表示画面１００上には、ツール画面２００が表示されている。ツール画面２００は、表示画面１００上に表示されるＷｅｂブラウザ画面１１０の上に重ねて表示される。表示画面１００上のツール画面２００の表示位置は、任意の位置でよい。例えば、表示画面１００の端１０１、１０２、１０３、１０４のうちのいずれかの端側の領域に、ツール画面２００を表示させることが挙げられる。図５の例では、ツール画面２００は、表示画面１００の一端である端１０３に沿うように表示されている。また、利用者が、表示画面１００上のツール画面２００の表示位置を指定できるようにしてもよい。
【００３５】
図６は、本発明の実施例に係るツール画面２００の画面構成例を示す図である。図６において、ツール画面２００には、利用者によって操作されるボタンや、情報表示欄などが設けられている。図６の例では、ツール画面２００の各種設定を利用者が行うための設定ボタン２０１、検索機能を実行させるための検索ボタン２０２、特定のＷｅｂページにアクセスするためのＷｅｂアクセスボタン２０３、ニュース情報の表示欄２０４、ボタンの追加を行うためのボタン追加ボタン２０５が、ツール画面２００に設けられている。
【００３６】
ツール画面構成部１４は、表示情報を使用してツール画面２００を構成する。ツール画面２００上に表示される表示情報として、図６に例示されるボタンや情報表示欄、情報表示欄内に表示される情報などが挙げられる。ツール画面構成部１４は、ツール画面２００を構成する際に、ツール画面２００に表示される表示情報に基づいて該ツール画面２００の領域を決める。例えば、ツール画面表示制御部１２は、ツール画面２００に表示される表示情報に基づいて、該ツール画面２００の領域の大きさ又は形を決める。
【００３７】
図７、図８、図９は、本発明の実施例に係る携帯端末装置３０の表示画面１００の他の構成例を示す図である。
【００３８】
図７の例では、図６のツール画面２００に対して、地図画像を表示する領域３１０が追加されている。図７において、ツール画面３００は、図６のツール画面２００の領域と、地図画像を表示する領域３１０とから構成される。ツール画面３００は、表示画面１００上に表示されるＷｅｂブラウザ画面１１０の上に重ねて表示される。
【００３９】
ツール画面構成部１４は、表示情報として地図画像がある場合に、地図画像に合う形（図７の例では四角形）および大きさの領域３１０を決定する。例えば、ツール画面構成部１４は、ＧＰＳ部３４等によって取得された端末位置情報で示される利用者の居場所の辺りに在るオススメのスポットの地図画像をツール画面上に表示する際に、当該地図画像に合う形および大きさの領域３１０を決定する。そして、ツール画面構成部１４は、該領域３１０と図６のツール画面２００の領域とから成るツール画面３００を構成する。なお、表示情報に使用される地図画像としては、予め携帯端末装置３０に保持されている地図画像や、ツール画面３００の構成時にリアルタイムでＷｅｂサーバから取得される地図画像などが挙げられる。また、予め携帯端末装置３０に保持されている地図画像として、Ｗｅｂサーバから取得される地図画像や、携帯端末装置３０にインストールされている地図画像などが挙げられる。
【００４０】
図８の例では、図６のツール画面２００に対して、メッセージ「明日の天気は晴れ！」を表示する領域３２０が追加されている。図８において、ツール画面３００は、図６のツール画面２００の領域と、メッセージ「明日の天気は晴れ！」を表示する領域３２０とから構成される。ツール画面３００は、表示画面１００上に表示されるＷｅｂブラウザ画面１１０の上に重ねて表示される。
【００４１】
ツール画面構成部１４は、表示情報としてメッセージがある場合に、メッセージに合う形（図８の例では、四角型の吹き出し）および大きさの領域３２０を決定する。例えば、ツール画面構成部１４は、ＧＰＳ部３４等によって取得された端末位置情報で示される利用者の居場所におけるおでかけ情報（図８の例では、利用者の居場所の辺りの天気予報情報）をツール画面上に表示する際に、当該おでかけ情報（例えば、図８に例示される「明日の天気は晴れ！」）に合う形および大きさの領域３２０を決定する。そして、ツール画面構成部１４は、該領域３２０と図６のツール画面２００の領域とから成るツール画面３００を構成する。
【００４２】
図９の例では、図６のツール画面２００に対して、メッセージ「これはいかが？」を表示する領域３２０が追加されている。図９において、ツール画面３００は、図６のツール画面２００の領域と、メッセージ「これはいかが？」を表示する領域３３０とから構成される。ツール画面３００は、表示画面１００上に表示されるＷｅｂブラウザ画面１１０の上に重ねて表示される。
【００４３】
ツール画面構成部１４は、表示情報としてメッセージがある場合に、メッセージに合う形（図９の例では、楕円型の吹き出し）および大きさの領域３３０を決定する。例えば、ツール画面構成部１４は、利用者の嗜好に合う情報を公開するＷｅｂページにアクセスするためのＷｅｂアクセスボタン２０３をツール画面上に表示する際に、当該Ｗｅｂページへのアクセスを利用者に勧めるメッセージ（例えば、図９に例示される「これはいかが？」）に合う形および大きさの領域３３０を決定する。そして、ツール画面構成部１４は、該領域３３０と図６のツール画面２００の領域とから成るツール画面３００を構成する。
【００４４】
本実施例によれば、表示画面１００上に表示されるＷｅｂブラウザ画面１１０とは別個の画面としてツール画面２００、３００が構成され、該Ｗｅｂブラウザ画面１１０の上に重ねてツール画面２００、３００が表示される。このため、ツール画面２００、３００の領域の大きさや形を任意に変更することができるので、ツール画面２００、３００の領域の自由度を向上させることができる。
【００４５】
また、表示画面１００上に表示されるＷｅｂブラウザ画面１１０の上に重ねてツール画面２００、３００を表示することにより、ツール画面２００、３００を表示する際に、少しでも速くツール画面２００、３００を表示することを図っている。これは、ツール画面２００、３００をＷｅｂブラウザ画面１１０の上に重ねて表示することにより、Ｗｅｂブラウザ画面１１０の表示はそのままでよく、Ｗｅｂブラウザ画面１１０の表示に対して余計な処理をかけないようにしているからである。
【００４６】
例えば、表示画面１００上にツール画面２００、３００を表示するために、Ｗｅｂブラウザ画面１１０を縮小してツール画面２００、３００の表示領域を作ることが考えられる。この場合、Ｗｅｂブラウザ画面１１０の表示に対して、Ｗｅｂブラウザ画面１１０を縮小するという画像縮小処理が必要となるので、その画像縮小処理にかかる時間分、ツール画面２００、３００の表示が遅延する。これに対して、ツール画面２００、３００をＷｅｂブラウザ画面１１０の上に重ねて表示する場合には、Ｗｅｂブラウザ画面１１０に対する画像縮小処理は不要であり、ツール画面２００、３００の表示の迅速化を図ることができる。
【００４７】
以上、本発明の実施形態について図面を参照して詳述してきたが、具体的な構成はこの実施形態に限られるものではなく、本発明の要旨を逸脱しない範囲の設計変更等も含まれる。
【００４８】
例えば、ツール画面２００、３００は原画面（例えば、Ｗｅｂブラウザ画面）１１０に重ねて表示されているので、利用者によってツール画面２００、３００が使用されないと考えられるときには、表示画面１００上からツール画面２００、３００が消える（ツール画面２００、３００の表示が終了される）ことが好ましい。一方、利用者によってツール画面２００、３００が使用されるかもしれないと考えられるときには、表示画面１００上にツール画面２００、３００が表示されることが好ましい。ツール画面の表示開始イベント、表示終了イベントとして、以下に例１〜７を挙げる。
【００４９】
（例１）利用者によるツール画面２００、３００を引き出す操作（例えばスワイプ）ありにより、該ツール画面２００、３００を表示画面１００上に表示させる。一方、利用者によるツール画面２００、３００を引っ込める操作（例えばスワイプ）ありにより、該ツール画面２００、３００を表示画面１００上から消す（ツール画面２００、３００の表示を終了させる）。
【００５０】
（例２）ツール画面２００、３００の非表示状態での利用者に対する携帯端末装置３０の動作ありにより、該ツール画面２００、３００を表示画面１００上に表示させる。利用者に対する携帯端末装置３０の動作として、例えば、携帯端末装置３０自体の起動、アプリケーションの起動、電子メールやプッシュ配信の着信の通知などが挙げられる。
【００５１】
（例３）ツール画面２００、３００の表示状態での利用者からの携帯端末装置３０に対する、ツール画面２００、３００以外への操作ありにより、該ツール画面２００、３００を表示画面１００上から消す（ツール画面２００、３００の表示を終了させる）。利用者からの携帯端末装置３０に対する、ツール画面２００、３００以外への操作として、例えば、Ｗｅｂブラウザ画面１１０への操作、ホームボタンの操作などが挙げられる。
【００５２】
（例４）原画面１１０の表示開始により、ツール画面２００、３００を表示画面１００上に表示させる。原画面１１０として、例えば、待ち受け画面、Ｗｅｂブラウザ画面、電子メールアプリケーション画面、ＳＮＳ（Social Network Service；ソーシャル・ネットワーク・サービス）アプリケーション画面、電子商取引等のサービスに関するアプリケーション画面、カメラ部３９の撮像画像、ＧＰＳ部３４の端末位置情報を示す地図画像などが挙げられる。
【００５３】
又は、原画面１１０の表示を伴うアプリケーションの起動ありにより、ツール画面２００、３００を表示画面１００上に表示させる。原画面１１０の表示を伴うアプリケーションとして、例えば、Ｗｅｂブラウザ、電子メールアプリケーション、ＳＮＳアプリケーション、電子商取引等のサービスに関するアプリケーション、カメラ撮像アプリケーション、地図アプリケーションなどが挙げられる。
【００５４】
（例５）原画面（例えば、Ｗｅｂブラウザ画面）１１０の画面スクロールの終了により、ツール画面２００、３００を表示画面１００上に表示させる。一方、原画面１１０の画面スクロールの開始により、ツール画面２００、３００を表示画面１００上から消す（ツール画面２００、３００の表示を終了させる）。
【００５５】
（例６）新しい表示画面１００（一般にタブと呼ばれる）の追加ありにより、ツール画面２００、３００を表示画面１００上に表示させる。
【００５６】
（例７）ツール画面２００、３００の非表示状態での表示画面１００上へのタッチの検出ありにより、ツール画面２００、３００を表示画面１００上に表示させる。一方、ツール画面２００、３００の表示状態でのツール画面２００、３００以外の表示画面１００上へのタッチの検出ありにより、ツール画面２００、３００を表示画面１００上から消す（ツール画面２００、３００の表示を終了させる）。
【００５７】
また、携帯端末装置３０の表示情報供給部１５は、ツール画面２００、３００上に表示される表示情報を、携帯端末装置３０に保持される情報の中から取得してもよく、又は、通信ネットワークを介して取得してもよい。例えば、表示情報供給部１５は、通信ネットワークに接続される情報提供装置から提供される表示情報を取得してもよい。
【００５８】
また、表示情報供給部１５は、表示情報として、利用者の属性（性別、住所、年齢、嗜好など）、利用者の居場所（例えば端末位置情報で示される位置）又は携帯端末装置３０の端末使用履歴（例えば、Ｗｅｂページのアクセス履歴）に基づいた情報を取得してもよい。例えば、表示情報供給部１５は、通信ネットワークを介して、利用者属性情報、端末位置情報または端末使用履歴を情報提供装置へ送信し、この送信した情報に基づいた情報を情報提供装置から取得する。
【００５９】
また、上述した実施例では、携帯端末装置３０に対してツール画面制御装置１０を適用したが、据置き型の端末装置に対しても同様に適用可能である。
【００６０】
また、上述したツール画面制御装置１０または携帯端末装置３０を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
【００６１】
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００６２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６３】
１０…ツール画面制御装置、１１…表示制御イベント入力部、１２…ツール画面表示制御部、１３…画面構成制御イベント入力部、１４…ツール画面構成部、１５…表示情報供給部、３０…携帯端末装置、３１…ＣＰＵ部、３２…記憶部、３３…通信部、３４…ＧＰＳ部、３５…操作部、３６…タッチパネル部、３７…マイク部、３８…スピーカ部、３９…カメラ部、５０…ツール画面制御プログラム、１００…表示画面、２００，３００…ツール画面
【図１】
2015125649.tif 000003
【図２】
2015125649.tif 000004
【図３】
2015125649.tif 000005
【図４】
2015125649.tif 000006
【図５】
2015125649.tif 000007
【図６】
2015125649.tif 000008
【図７】
2015125649.tif 000009
【図８】
2015125649.tif 000010
【図９】
2015125649.tif 000011